(57)【要約】【課題】電気光学装置において、表示品質の低下を防止しつつ、効率よく冷却する。【解決手段】電気光学物質が挟持された一対の基板と、該一対の基板の一方に設けられた表示用電極と、該表示用電極にスイッチング素子を介して又は直接に接続された配線と、一対の基板のうちの少なくとも一方における、電気光学物質に対向しない側に配置され、スピネルを含んでなる光学板部材とを備える。【選択図】図３
2008276216.tif 000002
【特許請求の範囲】
【請求項１】
電気光学物質を挟持する一対の基板と、
該一対の基板の一方に設けられた画素と、
前記一対の基板のうちの少なくとも一方の基板の前記電気光学物質に対向する面と反対側に配置され、スピネルを含んでなる板部材と
を備えたことを特徴とする電気光学装置。
【請求項２】
電気光学物質が挟持された一対の基板と、
該一対の基板の一方に設けられた画素と、
前記一対の基板のうちの少なくとも一方の基板の前記電気光学物質に対向する面と反対側に配置され、イットリウム・アルミニウム・ガーネット（Yttrium Aluminum Garnet：ＹＡＧ）を含んでなる板部材と
を備えたことを特徴とする電気光学装置。
【請求項３】
前記板部材に含まれるイットリウム・アルミニウム・ガーネットの組成は、組成式Ｙ3Ａｌ5Ｏ12を基本とすることを特徴とする請求項２に記載の電気光学装置。
【請求項４】
前記板部材は、多結晶材料から構成されていることを特徴とする請求項１から３のいずれか一項に記載の電気光学装置。
【請求項５】
前記板部材は、粉体焼結体であることを特徴とする請求項１から４のいずれか一項に記載の電気光学装置。
【請求項６】
前記板部材は、前記一対の基板の一方における、前記電気光学物質に対向する面と反対側に配置され、
前記一対の基板の他方の基板の前記電気光学物質に対向する面と反対側には、スピネル及びイットリウム・アルミニウム・ガーネットのいずれも含まない板部材が配置されていることを特徴とする請求項１から５のいずれか一項に記載の電気光学装置。
【請求項７】
前記一対の基板のうちの少なくとも一方の基板の前記電気光学物質に対向する面と反対側に、偏光素子が更に配置されていることを特徴とする請求項１から６のいずれか一項に記載の電気光学装置。
【請求項８】
前記偏光素子にスピネル又はイットリウム・アルミニウム・ガーネットからなる板部材が備えられていることを特徴とする請求項７に記載の電気光学装置。
【請求項９】
前記板部材の少なくとも一面に、ＡＲ（Anti Reflection）ことを更に備えたことを特徴とする請求項１から８のいずれか一項に記載の電気光学装置。
【請求項１０】
少なくとも前記一対の基板と前記板部材とが収容されており、複数の着脱可能な部分から構成された外装ケースを更に備えたことを特徴とする請求項１から９のいずれか一項に記載の電気光学装置。
【請求項１１】
入射された光を反射する反射型画素電極を備えた基板を有する電気光学装置であって、
前記基板に対して前記光が反射する方向の側に、スピネルを含んでなる板部材を設けたことを特徴とする電気光学装置。
【請求項１２】
入射された光を反射する反射型画素電極を備えた基板を有する電気光学装置であって、
前記基板に対して前記光が反射する方向の側に、イットリウム・アルミニウム・ガーネット（Yttrium Aluminum Garnet：ＹＡＧ）を含んでなる板部材を備えたことを特徴とする電気光学装置。
【請求項１３】
請求項１から請求項１２のいずれか一項に記載の電気光学装置を備えることを特徴とする電子機器。
【発明の詳細な説明】
【技術分野】
【０００１】
本発明は、例えば液晶装置、電気泳動装置、ＥＬ（Electro-Luminescence）表示装置等の電気光学装置、及び該電気光学装置が例えばライトバルブとして適用される電子機器に関する。
【背景技術】
【０００２】
この種の電子機器は、例えば投射型表示装置として、ライトバルブとして電気光学装置を備え、光源からの投射光を変調し、表示像として投影する。電気光学装置は、液晶装置等の光変調機能を有する表示パネルと、その少なくとも一面に配置された、偏光板や防塵用基板等の光学板部材等から構成されている。
【０００３】
防塵用基板は、粉塵による表示品質低下を防止する機能を有する。即ち、電気光学装置の表示面に付着した粉塵にも結像することにより、粉塵がして拡大投影されて、画像上に映り込むことがある。しかし、表示面を防塵用基板で覆うと、塵芥の表示面への付着は防止される。その上、塵芥が防塵用基板上に付着したとしても、防塵用基板が所定の厚さを有するために粉塵に焦点が結ばれることがなくなるという、デフォーカス効果によって、画像上に粉塵の像が投影されるという事態が回避される。
【０００４】
このような防塵用基板には、高透過率であること、及び、熱伝導性が高いことが強く望まれる。即ち、表示輝度を確保するには、光をよく透過させる必要がある。また、投射型表示装置等においては、電気光学装置に対する投射光は非常に強く、電気光学装置は光の吸収等により発熱する。この発熱による電気光学装置の劣化等を防止するには、電気光学装置内の熱を効率よく外部へ放散させることが重要である。
【０００５】
こうした条件を満たす基板材料としては、広く用いられている石英ガラス、ネオセラム（登録商標）等に加え、サファイアが挙げられる（例えば、特許文献１及び２を参照）。特に、サファイアは、石英ガラスの数十倍にも及ぶ大きな熱伝導率を有している。
【０００６】
【特許文献１】特開平９−１１３９０６号公報
【特許文献２】特開２０００−２８４７００号公報
【発明の開示】
【発明が解決しようとする課題】
【０００７】
しかしながら、サファイアは屈折率異方性が比較的大きいことから、表示パネルにサファイア基板を貼り付けた場合に、偏光作用を利用する投射型表示装置においては、コントラストが低下し、視野角が変化するといった技術的問題点がある。
【０００８】
本発明は、例えば上記問題点に鑑みなされたものであり、表示品質の低下を防止しつつ、効率よく冷却することが可能な電気光学装置及びその製造方法、並びにそのような電気光学装置を具備した電子機器を提供することを課題とする。
【課題を解決するための手段】
【０００９】
本発明の第１電気光学装置は上記課題を解決するために、電気光学物質を挟持する一対の基板と、該一対の基板の一方に設けられた画素と、前記一対の基板のうちの少なくとも一方の基板の前記電気光学物質に対向する面と反対側に配置され、スピネルを含んでなる板部材とを備えたことを特徴とする。
【００１０】
本発明の第１電気光学装置によれば、一対の基板間の電気光学物質の状態変化が制御され、電気光学装置への投射光が変調される。即ち、一対の基板のうちの一方に投射光が入射されると共に、他方から変調光が射出される。ここで、一対の基板の少なくとも一方における、電気光学物質とは対向する面と反対側には板部材が配置されており、この板部材が所謂防塵用基板として機能することから、前述のような粉塵に起因する表示品質低下が有効に防止される。尚、本発明における「板部材」とは、光学的性質が考慮された、或いは光学的機能を有する板状部材を指し、例えばデフォーカス機能を有する防塵用基板、偏光板等であってよい。
【００１１】
この第１電気光学装置における板部材は、スピネル（ＭｇＡｌ2Ｏ4）を含んでなる。スピネルは、光学異方性がない又は非常に小さい。これは、スピネルの構造が等軸晶系であることに由来すると考えられる。但し、この板部材は、実質的にスピネルとしての物性を有する程度にスピネルを含んでいればよく、多少不純物が混在していてもよい。尚、このようなスピネルを含んでなる板部材は、例えば粉体焼結法により製造される。
【００１２】
ところで、投射光の基板に対する入射角は、通常、基板面内でばらついている。仮に、サファイア基板等の屈折率異方性が比較的大きな基板を板部材として用いる場合には、屈折率異方性が発現する方向に応じてコントラストが部分的に低下したり、視野角が変化したりすることがある。ここでいう「視野角の変化」とは、視野角の狭小化や明視方向の変化等を指す。そのため、サファイア基板等については、ユーザが希望する視野角等の仕様を満たすように位置を調整し、異方性が発現する方向を合わせこむ必要がある。
【００１３】
これに対し、スピネルを含む板部材では、屈折率異方性がない又は小さいために、そのような表示上の不都合を全て回避することができる。従って、電気光学装置における表示品質の低下を防止することが可能となる。また、この板部材については、サファイア基板等のような調整が全く不要であり、どのような仕様にも対応できる。
【００１４】
また、スピネルの熱伝導率は、石英ガラス等の約十倍と非常に大きいことから、この板部材は、効率よく基板から吸熱し、基板外へ放出することができる。言ってみれば、この板部材は、ヒートシンクとして機能するのである。従って、電気光学装置内部の冷却を効果的に行うことが可能である。
【００１５】
以上のように本発明の第１電気光学装置によれば、粉塵や光学部材の屈折率異方性等に起因する表示上の問題が解決され、高品質な表示が可能であると共に、駆動中に効率よく冷却することで電気光学物質等の劣化が防止され、安定的に動作することが可能である。
【００１６】
尚、本発明において「一対の基板のうちの少なくとも一方における、前記電気光学物質に対向する面と反対側」に板部材が配置されるというのは、該板部材を、電気光学装置の光入射側、光出射側及びその両側に配置する三つのパターンを含んでいる。
【００１７】
本発明の第２電気光学装置は上記課題を解決するために、電気光学物質が挟持された一対の基板と、該一対の基板の一方に設けられた画素と、前記一対の基板のうちの少なくとも一方の基板の前記電気光学物質に対向する面と反対側に配置され、イットリウム・アルミニウム・ガーネット（Yttrium Aluminum Garnet：ＹＡＧ）を含んでなる板部材とを備えたことを特徴とする。
【００１８】
本発明の第２電気光学装置によれば、まず、第１電気光学装置と同様に、板部材が防塵用基板として機能し、粉塵に起因する表示品質低下が有効に防止される。
【００１９】
この場合、板部材は、ＹＡＧを含んでなる。ＹＡＧは、光学異方性がない又は非常に小さい。これは、ＹＡＧの構造が等軸晶系であることに由来すると考えられる。但し、この板部材は、実質的にＹＡＧとしての物性を有する程度にＹＡＧを含んでいればよく、多少不純物が混在していてもよい。尚、このようなＹＡＧを含んでなる板部材は、例えば粉体焼結法、スリップキャスト法により製造される。
【００２０】
このように、ＹＡＧを含む板部材は、屈折率異方性がない又は小さいために、上述のような、サファイア基板を用いた場合に起きる屈折率異方性に起因した表示上の問題を全て回避することができる。従って、電気光学装置における表示品質の低下を防止することが可能となる。
【００２１】
また、ＹＡＧの熱伝導率は、石英ガラス等の約十倍と非常に大きいことから、この光学板部材は、効率よく基板から吸熱し、基板外へ放出することができる。従って、電気光学装置内部の冷却を効果的に行うことが可能である。
【００２２】
以上のように本発明の第２電気光学装置によれば、粉塵や光学部材の屈折率異方性等に起因する表示上の問題が解決され、高品質な表示が可能であると共に、駆動中に効率よく冷却することで電気光学物質等の劣化が防止され、安定的に動作することが可能である。
【００２３】
本発明の第２電気光学装置の一態様では、前記板部材に含まれるイットリウム・アルミニウム・ガーネットの組成は、組成式Ｙ3Ａｌ5Ｏ12を基本とする。
【００２４】
この態様によれば、板部材に含まれるＹＡＧの基本組成が、組成式Ｙ3Ａｌ5Ｏ12で規定されている。これはＹＡＧの代表的な組成であるが、ＹＡＧには、その他にイットリウム（Ｙ）、アルミニウム（Ａｌ）及び酸素の組成比が上記組成式とは異なるものも含まれている。尚、Ｙ3Ａｌ5Ｏ12を基本組成とするというのは、多少の組成ずれや不純物による置換は許容されることを意味している。
【００２５】
このように、ＹＡＧの基本組成をＹ3Ａｌ5Ｏ12とすることにより、上述の板部材による作用及び効果を確実に得ることができる。
【００２６】
本発明の第１及び第２の電気光学装置の一態様では、前記板部材は、多結晶材料から構成されている。
この態様によれば、第１電気光学装置のスピネルを含んでなる板部材、又は、第２電気光学装置のＹＡＧを含んでなる光学板部材は、多結晶であるために、その光学異方性が発現する方向に対する指向性は、総体として弱まる。その結果、光学板部材全体の光学異方性が抑制される。
【００２７】
従って、本発明の電気光学装置において、板部材の屈折率異方性に起因してコントラストが部分的に低下したり、視野角が変化したりする事態を、より確実に防止することが可能となる。
【００２８】
本発明の第１及び第２の電気光学装置の他の態様では、前記板部材は、粉体焼結体である。
【００２９】
この態様によれば、第１電気光学装置のスピネルを含んでなる板部材、又は、第２電気光学装置のＹＡＧを含んでなる板部材は、粉体焼結によって製造されることから、極めて簡単に製造することが可能である。
【００３０】
本発明の第１及び第２の電気光学装置の他の態様では、前記板部材は、前記一対の基板の一方における、前記電気光学物質に対向する面と反対側に配置され、前記一対の基板の他方における、前記電気光学物質に対向する面と反対側には、スピネル及びイットリウム・アルミニウム・ガーネットのいずれも含まない第２の板部材が配置されている。
【００３１】
この態様によれば、電気光学装置の両側には夫々材質の異なる板部材が配置されている。このうち、一方の基板には上述の板部材が配置されていることから、電気光学装置の冷却効果、及び表示品質維持効果をそれ相応に引き出すことが可能であると同時に、比較的高価なスピネル又はＹＡＧをむやみに使用することを控えて、電気光学装置全体の低コスト化を図ることができる。
【００３２】
ちなみに、本態様のように、一つの電気光学装置の両側に相異なる板部材を配置する場合には、第２の板部材の熱伝導率等その他の特性にもよるが、本発明に係るスピネルないしＹＡＧを含んでなる板部材は、電気光学装置の光入射側に配置される方が好ましい。
【００３３】
本発明の第１及び第２の電気光学装置の他の態様では、前記一対の基板のうちの少なくとも一方における、前記電気光学物質に対向する面と反対側に、偏光素子が更に配置されている。
【００３４】
この態様によれば、電気光学物質に入射させる光、或いは該電気光学物質から出射した光を適当な偏光状態にすることが可能となる。この偏光素子は、電気光学装置の基板から見て、板部材よりも外側に配置されるのが通常である。言い換えると、偏光素子は、板部材を介して基板に配置される。
【００３５】
特に、こうした偏光素子に加えて、スピネル又はＹＡＧを含んでなる板部材が配置されていることにより、次のような作用及び効果が得られる。即ち、電気光学装置に配置する板部材を、仮に水晶やサファイア等で構成する場合には、これらの屈折率異方性が、偏光素子を通過して偏光した光に影響する。
【００３６】
これに対し、本発明に係る板部材はスピネル又はＹＡＧを含んでおり、これらの材料の屈折率異方性がない又は小さいことから、偏光をかけた場合にも、前述のようなコントラスト低下や視野角の変化は、殆ど或いは全く起きない。例えば、屈折異方性を有する板部材を用いる場合に必要となる該屈折異方性を有する板部材と偏光素子との偏光軸を合わせる等が、本発明では不要となり、実践上大変有利となる。従って、本態様によれば、比較的容易にして、より高品質な表示が可能となる。
【００３７】
この態様では、前記偏光素子にスピネル又はイットリウム・アルミニウム・ガーネットからなる第３の板部材が備えられているようにしてもよい。
【００３８】
このような構成によれば、偏光素子において発生する熱が、比較的熱伝導率の大きいスピネル又はＹＡＧを含んでなる板部材に吸収されることにより、該偏光素子の冷却を好適に行うことができる。
【００３９】
尚、本態様に係る偏光素子に加えて、λ／４板、λ／２板、広視野角等の光学補償フィルム等の光学補償素子を更に備え、該光学補償素子にもスピネル又はＹＡＧを含んでなる板部材を配置してもよい。
【００４０】
本発明の第１及び第２の電気光学装置の他の態様では、前記板部材の少なくとも一面に、ＡＲ（Anti Reflection）ことを更に備えている。
【００４１】
この態様によれば、スピネルの屈折率は１．７程度、ＹＡＧの屈折率は１．８程度と比較的大きいことから、板部材に入射する光、或いは板部材から出射する光は、その界面において殆ど反射してしまうおそれがある。しかるに、本態様においては、板部材の少なくとも一方の面にＡＲ膜が備えられていることにより、上記のような光の反射を未然に防止できる。従って、電気光学装置における透過光の利用効率を高めることができ、より明るい表示が可能となる。
【００４２】
尚、本態様にいう「ＡＲ膜」は、例えば、ジルコニア（ＺｒＯ2）、シリカ（ＳｉＯ2）等の多層膜からなる。具体的には、ジルコニアこととシリカこととなどの屈折率が相異なる膜を交互に積相させるとよい。このようなＡＲ膜は、材料の選択、各層の厚さ、更には層数等を異ならせることにより、反射率等の光学特性を所望の値とすることができる。
【００４３】
本発明の第１及び第２の電気光学装置の他の態様では、少なくとも前記一対の基板と前記板部材とが収容されており、複数の着脱可能な部分から構成された外装ケースを更に備えている。
【００４４】
この態様によれば、基本的には一対の基板とこれに対応して配置される板部材とが外装ケース内に収容されるが、更に、上述した偏光素子やそれに対応する板部材まで収容されていてもよい。但し、偏光素子等を更に備える場合には、一対の基板及びそれに対応して配置される板部材のみが外装ケース内に収容され、偏光素子及びそれに対応して配置される板部材は、外装ケースの外部に設置されるほうが一般的である。尚、外装ケースは、例えば、基板表面に対向配置されるプレートと、該プレート及び収容物を覆うように配置されるカバーのように、複数の着脱可能な部分から構成されている。
【００４５】
駆動中に基板等にて発生する熱は、板部材だけでなく、外装ケースまで伝導する。即ち、この場合の外装ケースは、ヒートシンクとして機能し、内部の熱を吸収してケース外部へと放出する。従って、電気光学装置における蓄熱を一層確実に防止することが可能となる。
【００４６】
尚、外装ケースは、ヒートシンクとしての機能をより効果的に実現するために、金属、更に好ましくはその熱伝導率が１５Ｗ／ｍ・Ｋ程度以上となる金属から構成するとよい。そのような金属としては、例えばアルミニウム、マグネシウム、銅、或いはこれらの合金等を挙げることができる。また、外装ケースに板部材が接触するように構成すれば、両者間の熱伝導効率が上がり、一層効果的に電気光学装置を冷却することができる。
【００４７】
本発明の電子機器は上記課題を解決するために、上述した本発明の電気光学装置（但し、その各種態様を含む）を備える。
【００４８】
本発明の電子機器によれば、上述した本発明の電気光学装置を具備してなるので、塵芥による表示品質の低下を防止すると共に、簡便な構成で効率よく電気光学パネルを冷却することが可能である。
【００４９】
なお、前記板部材の製造方法としては、イットリウム・アルミニウム・ガーネットを含む粉体を溶媒と混合してスラリーを作製する工程と、該スラリーを型に流し固めることにより、前記板部材の前駆体を作製する工程と、前記板部材の前駆体を焼結し、前記板部材を生成する工程とを含む。
【００５０】
本発明の電気光学装置の製造方法によれば、まず、ＹＡＧを含む粉体を用意し、例えば純水等の溶媒に混合してスラリーを作製する。そして、このスラリーを型枠に流し込んで固めることで、板状に成型された板部材の前駆体が得られる。この前駆体を焼結すれば、本発明の板部材が得られる。
【００５１】
このような部材の成型においては、粉体を型にはめて加圧成型する方法が一般的であるが、その場合には加圧時に割れたりすることが多い。これに対し、本発明の製造方法は、型枠に流し込む、所謂スリップキャスト法に基づき成型するために、成形品（即ち、前駆体）の損傷頻度が小さい。従って、板部材を簡便に製造することができ、電気光学装置の製造効率を向上させることが可能である。
【００５２】
また、板部材は、その用途から、本来的に光学異方性を持たない或いはできるだけ小さいことが望ましく、そのために結晶構造を制御することが考えられる。
【００５３】
本発明のこのような作用及び他の利得は次に説明する実施の形態から明らかにされる。
【発明を実施するための最良の形態】
【００５４】
以下では、本発明の実施の形態について図を参照しつつ説明する。
【００５５】
＜投射型表示装置の実施形態＞
まず、本発明の実施形態に係る投射型表示装置について、図１を参照して説明する。図１は、本実施形態の投射型表示装置の構成を示している。
【００５６】
図１において、投射型表示装置１１００は、本発明の電気光学装置の一例たる液晶装置を、ＲＧＢ用のライトバルブ１００Ｒ、１００Ｇ及び１００Ｂの夫々に適用した液晶カラープロジェクタとして構成されている。
【００５７】
投射型表示装置１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際、特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１０及び１００Ｂにより夫々変調された３原色に対応する光成分は、ダイクロイックプリズム１１１２により再度合成された後、投射レンズ１１１４を介してスクリーン１１２０にカラー画像として投射される。
【００５８】
ライトバルブ１００Ｒ、１００Ｇ及び１００Ｂとしては、例えば、後述の如きＴＦＴをスイッチング素子として用いたアクティブマトリクス駆動方式の液晶装置が使用される。この液晶装置は、外装ケースに収容されている。
【００５９】
また、投射型表示装置１１００には、ライトバルブ１００Ｒ、１００Ｇ及び１００Ｂに冷却風を送るためのシロッコファン１３００が設けられている。シロッコファン１３００は、その側面に複数のブレード１３０１を備えた略円筒形状の部材を含んでおり、該円筒形状の部材がその軸を中心として回転することでブレード１３０１が風を生じさせるようになっている。このような原理から、シロッコファン１３００で作り出される風は、図１に示されるように、らせん状に渦巻いたものとなる。このような風は、図１に図示されない風路を通じて各ライトバルブ１００Ｒ、１００Ｇ及び１００Ｂに送給される。ちなみに、前述したようなシロッコファン１３００を用いれば、静圧が高くライトバルブ１００Ｒ、１００Ｇ及び１００Ｂの周囲の狭い空間にも風を送りやすいという利点が得られる。
【００６０】
以上説明した構成においては、駆動中に、強力な光源たるランプユニット１１０２からの投射光により各ライトバルブ１００Ｒ、１００Ｇ及び１００Ｂで温度が上昇する。このとき、過度に温度が上昇してしまうと、各ライトバルブ１００Ｒ、１００Ｇ、１００Ｂを構成する液晶が劣化したり、光源光のむらによる部分的な液晶パネルの加熱によるホットスポットの出現により透過率にムラが生じたりする。また、これら各ライトバルブ１００Ｒ、１００Ｇ及び１００Ｂの表面には、その周囲に漂う粉塵が付着し得るが、その場合に該粉塵の像がスクリーン１１２０上に投影されてしまうという問題も生じる。
【００６１】
そこで、本実施形態では、各ライトバルブ１００Ｒ、１００Ｇ及び１００Ｂが、後述の如き光学板部材と共に、外装ケースにより外装されている。
【００６２】
＜液晶装置の第１実施形態＞
次に、本実施形態に係る液晶装置について、図２及び図３を参照して説明する。即ち、本実施形態に係る液晶装置は、上述した投射型表示装置１１００におけるライトバルブ１００Ｒ、１００Ｇ及び１００Ｂとして使用されるものである。ここに、図２は、ＴＦＴアレイ基板をその上に形成された各構成要素と共に対向基板の側から見た液晶装置の平面図であり、図３は、図２のＨ−Ｈ’断面図である。尚、この液晶装置は、駆動回路内蔵型であり、例えばＴＦＴアクティブマトリクス駆動方式が採用されている。
【００６３】
（液晶装置の構成）
図２及び図３において、液晶装置は、一対のＴＦＴアレイ基板１０と対向基板２０とが対向配置されている。ＴＦＴアレイ基板１０と対向基板２０との間には液晶層５０が封入されており、ＴＦＴアレイ基板１０と対向基板２０とは、画像表示領域（画素アレイ領域）１０ａの周囲に位置するシール領域に設けられたシール材５２により相互に接着されている。
【００６４】
シール材５２は、両基板を貼り合わせるための、例えば紫外線硬化樹脂、熱硬化樹脂等からなる。また、シール材５２中には、ＴＦＴアレイ基板１０と対向基板２０との間隔（基板間ギャップ）を所定値とするためのグラスファイバ或いはガラスビーズ等のギャップ材が散布されている。
【００６５】
シール材５２が配置されたシール領域の内側に並行して、画像表示領域１０ａの額縁領域を規定する遮光性の額縁遮光こと５３が、対向基板２０側に設けられている。但し、このような額縁遮光こと５３の一部又は全部は、ＴＦＴアレイ基板１０側に内蔵遮光こととして設けられてもよい。
【００６６】
画像表示領域の周辺に広がる領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光こと５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光こと５３に覆われるようにして複数の配線１０５が設けられている。
【００６７】
また、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００６８】
図３において、ＴＦＴアレイ基板１０上には、画素スイッチング用のＴＦＴや走査線、データ線等の配線が形成された後の画素電極９ａ上に、図示しない配向ことが形成されている。他方、対向基板２０上には、対向電極２１の他、格子状又はストライプ状の遮光こと２３、更には最上層部分に図示しない配向ことが形成されている。また、液晶層５０は、例えば一種又は数種類のネマティック液晶を混合した液晶からなり、これら一対の配向こと間で、所定の配向状態をとる。
【００６９】
尚、図２及び図３に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００７０】
（光学板部材の構成）
このような液晶装置では、更にＴＦＴアレイ基板１０における液晶層５０に対向しない側（図３中、ＴＦＴアレイ基板１０の下面側）に、光学板部材４１０が配置されている。また、対向基板２０における液晶層５０に対向しない側（図３中、対向基板２０の上面側）には、光学板部材４２０が配置されている。
【００７１】
光学板部材４１０及び４２０は、多結晶のスピネル（ＭｇＡｌ2Ｏ4）を含んでなる。即ち、光学板部材４１０及び４２０は、実質的にスピネルとしての物性を有する程度にスピネルを含んでいればよく、多少不純物が混在していてもよい。尚、本発明の光学板部材では、スピネルの構造は特に限定しておらず、例えば単結晶やバルクであってもよいし、可能であれば非晶質であってもよい。このようなスピネルを含んでなる光学板部材４１０及び４２０は、例えば粉体焼結法により成形することができる。
【００７２】
ここで、光学板部材４１０及び４２０は、スピネルを含むことで、スピネルに起因する以下のような特徴を有している。
【００７３】
第１に、スピネルは透光性が高い。そのため、光学板部材の透過光が着色したり、減衰したりするおそれが殆どない。例えば、光学板部材４１０及び４２０は、両面にＡＲ膜が設けられているが、その状態で波長４５０〜７８０ｎｍの可視光域における透過率が９０％以上になる。
【００７４】
第２に、スピネルは熱伝導率が高い。スピネルの熱伝導率（１６．９Ｗ／ｍ・Ｋ）は、通常用いられる石英ガラスの熱伝導率（１．２Ｗ／ｍ・Ｋ）に比べて十倍以上にもなる。
【００７５】
第３に、スピネルは、光学異方性、より具体的には屈折率異方性がない又は非常に小さい。これは、スピネルが等方晶系の構造をもつためと考えられるが、多結晶としたことによるとも考えられる。ちなみに、スピネル同様、石英ガラス等よりも熱伝導性が高い材料として、サファイアが知られているが、その屈折率異方性は比較的大きい。
【００７６】
このように、光学板部材４１０及び４２０は、光学板部材に要求される特性を総合的に備えている。従って、以下に説明するように、高品位な表示が可能であると共に、駆動中に液晶装置を効率よく冷却することが可能である。
【００７７】
尚、光学板部材４１０の両面には、ＡＲ膜５０３及び５０４が付設されており、光学板部材４２０の両面には、ＡＲ膜５０１及び５０２が付設されている。これらＡＲ膜５０１から５０４は、例えばジルコニア（ＺｒＯ2）、シリカ（ＳｉＯ2）等の単層膜、或いは多層膜からなる。これにより、例えば、空気層（図３中上方）から対向基板２０内（図３中下方）という異なる屈折率を有する部材間において、無用な反射による損失を避けることが可能となり、当該部材間にわたって効率的に導光することが可能となる。特に、本実施形態においては、光学板部材４１０及び４２０は、屈折率が１．７以上と比較的大きなスピネルを含んでなることから、ＡＲ膜５０１から５０４が付設されることで、それらの界面における光反射が防止されることは、投影像の明るさ維持等にとって非常に有効である。
【００７８】
ところで、各ＡＲ膜５０１から５０４の構造は、夫々相異なるようにするのが好ましい。というのも、各ＡＲ膜５０１から５０４においては、夫々、生じ得る光反射の態様が異なり得るからである。即ち、ＡＲ膜５０１については、空気層から光学板部材４２０への光の進入に際する反射を、ＡＲ膜５０２については、光学板部材４２０から石英ガラス等からなる対向基板２０への光の進入に際する反射を夫々防止する必要がある。他方、ＡＲ膜５０３については、石英ガラス等からなるＴＦＴアレイ基板１０から光学板部材４１０への光の進入に際する反射を、ＡＲ膜５０４については、光学板部材４１０から空気層への光の進入に際する反射を夫々防止する必要がある。
【００７９】
従って、この場合には、ＡＲ膜５０１から５０４の各層の厚さを変更したり、該各ＡＲ膜の積層数を変化させたりする他、材料それ自体を変化させるなどして、各ＡＲ膜５０１乃至５０４間の構造に差異をもたせるのが好ましい。このようにすることで、前記のように異なった反射態様に好適に対応することができる。
【００８０】
（液晶装置の作用）
次に、このような液晶装置の動作を、光学板部材４１０及び４２０の作用に着目しつつ説明する。
【００８１】
投射型表示装置の動作時には、液晶装置に対し、図３の上側から強力な投射光が照射される。投射光は、光学板部材４２０側から液晶装置に入射し、液晶層５０において変調された光が、光学板部材４１０側から射出される。ここでは、光学板部材４１０及び４２０の光透過性は良好なため、射出光が着色したり、減衰したりするおそれが殆どない。
【００８２】
この投射光の対向基板２０に対する入射角は、通常、画像表示領域１０ａ内でばらつくため、仮に、屈折率異方性のある光学板部材を用いる場合には、屈折率異方性の発現する方向に応じてコントラストが部分的に低下したり、視野角が変化したりする。これに対し、光学板部材４１０及び４２０は、屈折率異方性がない、或いはごく小さいために、こうした表示上の不都合を全て回避することができる。
【００８３】
尚、サファイア等の光学板部材については、ユーザが希望する視野角等の仕様を満たすように基板位置を調整し、異方性の発現する方向を合わせこむ必要があるが、光学板部材４１０及び４２０については、そのような調整が全く不要であり、どのような仕様にも対応できるうえ、装置の製造効率向上に寄与するといった利点がある。
【００８４】
また、液晶装置における画像表示領域１０ａに粉塵が付着すると、この粉塵の像が投影されてしまい、やはり表示品質を低下せしめる。これに対しては、光学板部材４１０及び４２０が夫々、ＴＦＴアレイ基板１０及び対向基板２０に配置されているために、対向基板２０或いはＴＦＴアレイ基板１０の表面に粉塵は付着しえず、また粉塵が付着するとしても、それはＡＲ膜５０１の表面或いはＡＲこと５０４の表面に付着するに過ぎない。つまり、粉塵は、光学板部材４１０及び４２０、更にＡＲ膜５０１から５０４の厚み分だけ、焦点から遠い位置に付着することになる。そのため、デフォーカス効果により、粉塵の像は結ばれず、表示品質低下が阻止される。
【００８５】
このように液晶装置に光学板部材４１０及び４２０を備えることにより、液晶装置延いては投射型表示装置における表示品質の低下を防止することが可能となる。
【００８６】
また、投射型表示装置の動作時には、対向基板２０、液晶層５０及びＴＦＴアレイ基板１０等は、光吸収により発熱し、液晶装置の温度が上昇する。このような温度上昇は、液晶層５０等の劣化を早めると共に、表示品位を劣化させる。これに対し、本実施形態では、光学板部材４１０及び４２０の熱伝導率が優れて高いために、液晶装置内部の熱は、高効率で、ＴＦＴアレイ基板１０及び対向基板２０の各基板面から光学板部材４１０及び４２０に伝導し、外へ放出される。即ち、光学板部材４１０及び４２０は、液晶装置の良好な冷媒としても機能し、液晶装置の温度上昇が抑制される。
【００８７】
このように液晶装置に光学板部材４１０及び４２０を備えることにより、より効果的な熱放散効果を得ることができ、液晶装置内部における過剰な熱蓄積を未然に防止することが可能となる。ちなみに、このようにして液晶装置内部に蓄積される熱を効率よく外部に放散することが可能であることから、本実施形態においては、シロッコファン１３００に強力な冷却能力が要求されない。即ち、従来に比べて風量を低くすることが可能だから、シロッコファン１３００における消費電力を低減することができ、また、シロッコファン１３００による騒音を低減することもできる。
【００８８】
以上説明したように本実施形態によれば、粉塵や光学部材の屈折率異方性等に起因する表示上の問題が解決され、高品位な表示が可能であると共に、駆動中に効率よく冷却することで電気光学物質等の劣化が防止され、液晶装置を安定的に動作させることが可能である。
【００８９】
（変形例）
以下、液晶装置の第１実施形態の変形例について、図４及び図５を参照して説明する。
（第１変形例）
まず、第１変形例について、図４を参照して説明する。ここに、図４は、図３と同趣旨の図ではあるが、図３とは異なる各種の態様を示している。
【００９０】
まず、図４（ａ）に示したように、対向基板２０側にのみスピネルを含んでなる光学板部材４２０を配置するようにしてもよい。或いは、図４（ｂ）に示したように、ＴＦＴアレイ基板１０側にのみスピネルを含んでなる光学板部材４１０を配置するようにしてもよい。
【００９１】
更に、図４（ｃ）に示したように、対向基板２０側にはスピネルを含んでなる光学板部材４２０を設けるが、ＴＦＴアレイ基板１０側にはスピネルを含まない光学板部材４１１を配置してもよい。ここで、光学板部材４１１は、本発明の「第２の光学板部材」の一具体例に相当する。尚、光学板部材４１１には、比較的安価な材料を用いることが可能であるから、液晶装置全体の低コスト化が可能となる。また、光学板部材４１１はスピネルを含まないため、その界面において入射光或いは射出光の反射が生じる可能性は一般的には小さいということはできるが、それでも光学板部材４１１の界面で反射が生じるおそれはやはりあるから、ＡＲ膜５０３’及び５０４’（図４（ｃ）参照）を備えることには相応の意義がある。
【００９２】
このように、光学板部材の設置態様については各種採用が可能であり、どの態様によっても、液晶装置の冷却効果は相応に引き出されるが、液晶装置の放熱性を最も高めるためには、スピネルを含んでなる光学板部材を、液晶装置の光入射側及び光出射側に光学板部材４１０及び４２０を夫々配置する態様（図３参照）が最も好ましい。更に、光学板部材を液晶装置の片側にのみ配置する場合には、光入射側に配置する場合（即ち、図４（ａ））の方が、光出射側に配置する場合（即ち、図４（ｂ））に比べて、より好ましい。
【００９３】
（第２変形例）
次に、第２変形例について、図５を参照して説明する。ここに図５は、図３と同趣旨の図ではあるが、図３とは異なる各種の態様を示している。
【００９４】
図５において、液晶装置は、図３に示した構成に加えて、図中上方側及び下方側に、偏光板７０１Ｉ及び７０１Ｏを備えている。偏光板７０１Ｉ及び７０１Ｏは、液晶層５０に入射させる光及び液晶層５０から出射した光を適当な偏光状態とする偏光素子の一種である。これにより、液晶層５０の配向状態を適当に定め、該配向状態と該偏光板７０１Ｉ及び７０１Ｏにおける偏光状態との関係を調整することにより、入射光がほぼ完全に透過する状態から、ほぼ完全に遮蔽される状態に至るまでの調整を連続的に行うことが可能となる。
【００９５】
そして、第２変形例においては特に、偏光板７０１Ｉ及び７０１Ｏの夫々について、図５に示すように、昇温防止基板４９１及び４９２が備えられている。これら昇温防止基板４９１及び４９２は、本発明における「第３の光学板部材」の一具体例に相当する。
【００９６】
また、偏光板７０１Ｉ及び昇温防止基板４９１からなる構造物の各界面には、ＡＲ膜５１１から５１３が備えられており、偏光板７０１Ｏ及び昇温防止基板４９２からなる構造物の各界面には、ＡＲ膜５２１から５２３が備えられている。
【００９７】
このような形態によれば、偏光板７０１Ｉ及び７０１Ｏについて、第１実施形態で述べたのと同様の作用効果を享受することが可能となる。即ち、防塵用基板４１０及び４２０にスピネルが利用されることにより、偏光をかけた場合にも、屈折率異方性が顕在化することがない。よって、第２変形例によれば、より高品質な表示が可能となる。
【００９８】
また、偏光板７０１及び７０１Ｏもまた、光の照射を受けることにより熱の蓄積が懸念される光学素子であるが、上述したような昇温防止基板４９１及び４９２が貼着されていることにより、該偏光板７０１Ｉ及び７０１Ｏに蓄えられた熱を外部へと有効に放散することが可能となる。
【００９９】
尚、本変形例においては、図５に示す構成に加えて、光学補償素子としてのλ／４板、λ／２板、広視野角等の光学的補償フィルム等（不図示）を設けると共に、該光学補償素子に本発明の「光学板部材」を配置する形態を採用してもよい。この場合、屈折率異方性に起因する表示不具合をよりよく抑えることができると共に、該光学補償素子に蓄えられる熱の放散も可能となる。
【０１００】
＜液晶装置の第２実施形態＞
次に、本発明の電気光学装置に係る液晶装置の第２実施形態について、図６を参照して説明する。図６は、図３に対応しており、第２実施形態に係る液晶装置の断面構成を示している。尚、本実施形態においては、第１実施形態と同様の構成要素については同一の符号を付し、その説明を適宜省略する。
【０１０１】
（液晶装置の構成）
図６に示したように、本実施形態では、液晶装置の光入射側及び光出射側の双方に光学板部材４３０及び４４０が夫々配置されている。即ち、第１実施形態における光学板部材４１０及び４２０に代えて、光学板部材４３０及び４４０が配置されている。
【０１０２】
光学板部材４３０及び４４０は、多結晶のＹＡＧを含んでなる。即ち、光学板部材４３０及び４４０は、実質的にＹＡＧとしての物性を有する程度にＹＡＧを含んでいればよく、多少不純物が混在していてもよい。ここでは、ＹＡＧの基本組成をＹ3Ａｌ5Ｏ12としている。尚、本発明の光学板部材では、ＹＡＧの構造は上記以外には特に限定されておらず、例えば単結晶やバルクであってもよいし、可能であれば非晶質であってもよい。このようなＹＡＧを含んでなる光学板部材４３０及び４４０は、例えば粉体焼結法、スリップキャスト法により成形することができる。
【０１０３】
光学板部材４３０及び４４０はＹＡＧを含むことで、スピネルを含む光学板部材４１０及び４２０と同様の特徴を有している。
【０１０４】
即ち、第１に透光性が高い。第２に、熱伝導率が高い。ＹＡＧの熱伝導率（１１．７Ｗ／ｍ・Ｋ）は、通常用いられる石英ガラスの熱伝導率（１．２Ｗ／ｍ・Ｋ）に比べて十倍以上にもなる。第３に、光学異方性、より具体的には屈折率異方性がない又は非常に小さい。これは、ＹＡＧが等方晶系の構造をもつためと考えられるが、多結晶としたことによるとも考えられる。
【０１０５】
このように、光学板部材４３０及び４４０は、光学板部材に要求される特性を総合的に備えている。従って、以下に説明するように、高品位な表示が可能であると共に、駆動中に液晶装置を効率よく冷却することが可能である。
【０１０６】
尚、光学板部材４３０の両面には、ＡＲ膜５０７及び５０８が付設されており、光学板部材４４０の両面には、ＡＲ膜５０５及び５０６が付設されている。これらＡＲ膜５０５から５０８は、例えばジルコニア（ＺｒＯ2）、シリカ（ＳｉＯ2）等の単層膜、或いは多層膜からなる。これらは、第１実施形態におけるＡＲ膜５０１から５０４と同様の作用及び効果を有している。
【０１０７】
（液晶装置の製造方法）
次に、第２実施形態に係る液晶装置の製造方法について、図７を参照して説明する。ここに、図７は、本実施形態に係る液晶装置の製造方法の主要工程を示している。
【０１０８】
本実施形態に係る液晶装置は、光学板部材４３０及び４４０が、通常「防塵用基板」として用いられる光学板部材とは異なる材質で構成されている点を除けば、一般的な製造方法に基づいて製造することができる。そこで、ここでは主に、光学板部材４３０及び４４０の製造工程に関して説明することにする。
【０１０９】
即ち、ＴＦＴアレイ基板１０の一面に、画素電極９ａ等の必要な構成要素を形成すると共に、対向基板２０の一面に対向電極２１等の必要な構成要素を形成する。次に、ＴＦＴアレイ基板１０と対向基板２０とを、互いの電極形成面において対向させ、シール材５２を用いて貼りあわせる。次に、基板間の間隙に液晶を注入する。
【０１１０】
以上の工程と相前後又は並行して、光学板部材４３０及び４４０が図７に示した要領で作製される。
【０１１１】
まず、ＹＡＧを含む粉体を用意する（ステップＳ１１）。この粉体は、できるだけ高純度のＹＡＧからなることが好ましく、粉体の粒径等は、以下の工程との兼ね合いで適宜に調整される。
【０１１２】
次に、この粉体を、純水等の溶媒に混合してスラリーを作製する（ステップＳ１２）。そして、このスラリーを型枠に流し込んで固める（ステップＳ１３）。これにより、板状に成型された光学板部材の前駆体が得られる。
【０１１３】
次に、この前駆体を焼結する（ステップＳ１４）。ここで、焼結温度等の条件は、適宜に調整される。こうして、光学板部材４３０及び４４０が作製される。
【０１１４】
こうして得られた光学板部材４３０及び４４０には、ＡＲ膜５０１及び５０２、ＡＲ膜５０３及び５０４が夫々貼り付けられる。
【０１１５】
その後、光学板部材４３０及び４４０を、ＴＦＴアレイ基板１０及び対向基板２０の他面側（即ち、液晶相５０と対抗する側とは反対側の面）に配置させる。これは、例えば、これらの部材を重ね合わせた状態で後述のような外装ケースに収容することにより、実現できる。
【０１１６】
ここでは、型枠に流し込む、所謂スリップキャスト法に基づき成型するために、成形品（即ち、前駆体）の損傷頻度が小さい。従って、光学板部材４３０及び４４０を簡便に製造することができ、液晶装置の製造効率を向上させることが可能である。
【０１１７】
また、粉体を出発材料とすることや、圧力をかけずに粉体を成型することは、どちらかといえば異方性を分散させるように作用すると考えられ、光学板部材４３０及び４４０の作製方法としては、他の方法に比べて有利といえる。
【０１１８】
（液晶装置の作用）
このような液晶装置は、第１実施形態と同様に動作させることができる。
【０１１９】
即ち、投射型表示装置の動作時には、液晶装置に対し、図６の上側から強力な投射光が照射されるが、ここでは、光学板部材４３０及び４４０の光透過性は良好なため、射出光が着色したり、減衰したりするおそれが殆どない。
【０１２０】
更に、光学板部材４１０及び４２０は屈折率異方性がない、或いはごく小さいために、投射光の入射角ばらつきと、光学板部材の屈折率異方性とに起因して、屈折率異方性の発現する方向に応じてコントラストが部分的に低下したり、視野角が変化したりする事態を回避することができる。また、この性質により、屈折率異方性のある光学板部材で必要となる位置調整が全く不要であり、どのような仕様にも対応できるうえ、装置の製造効率向上に寄与するといった利点がある。
【０１２１】
また、光学板部材４３０及び４４０が夫々、ＴＦＴアレイ基板１０及び対向基板２０に配置されているために、対向基板２０或いはＴＦＴアレイ基板１０の表面に粉塵は付着しえず、また粉塵が付着する場合にはデフォーカス効果により、粉塵の像は結ばれず、表示品質低下が阻止される。
【０１２２】
また、光学板部材４３０及び４４０の熱伝導率が優れて高いために、駆動時に発生する液晶装置内部の熱は、高効率に、ＴＦＴアレイ基板１０及び対向基板２０の各基板面から光学板部材４１０及び４２０に伝導し、外へ放出される。よって、より効果的な熱放散効果を得ることができ、液晶装置内部における過剰な熱蓄積を未然に防止することが可能となる。
【０１２３】
以上説明したように本実施形態においても、粉塵や光学部材の屈折率異方性等に起因する表示上の問題が解決され、高品位な表示が可能であると共に、駆動中に効率よく冷却することで電気光学物質等の劣化が防止され、液晶装置を安定的に動作させることが可能である。
【０１２４】
＜液晶装置の第３実施形態＞
次に、第３実施形態に係る電気光学装置について、図８を参照して説明する。図８は、本実施形態に係る液晶装置を分解された状態で示している。尚、本実施形態に係る液晶装置は、外装ケース６０１に外装されていることを除けば第１実施形態における液晶装置と同様に構成されている。そこで、以下の説明では、第１実施形態と同様の構成要素に同一の符号を付し、その説明を適宜省略ないし簡略化して説明する。但し、第２実施形態は、第１実施形態とは材質が異なる光学板部材を用いた点のみで相違し、その実質的な作用及び効果は同様であるから、本実施形態に係る液晶装置の外装ケース６０１内部は、第２実施形態における液晶装置と同様に構成されていてもよい。
【０１２５】
図８において、液晶表示部５００が第１実施形態の液晶装置に相当している。前述した光学板部材４１０及び４２０を備えた液晶表示部５００は、プレート部６１０及びカバー部６２０からなる実装ケース６０１内に収納されている。このうちプレート部６１０には取付孔６１１ｃ、６１１ｄ及び６１１ｅが形成されており、該取付孔６１１ｃ、６１１ｄ及び６１１ｅを用いることによって投射型表示装置１１００に対する取付けを好適になすことができる。具体的には、取付孔６１１ｃ、６１１ｄ及び６１１ｅに図示しないねじを通し、該ねじを投射型表示装置１１００の一部を構成する図示しない被取付面に形成された雌ねじ穴に螺合する等により、取付けることができる。
【０１２６】
また、プレート部６１０及びカバー部６２０の夫々には、窓部６１５及び６２５が形成されている。液晶表示部５００に対する光の入射及び出射は、窓部６１５及び６２５を介して可能となる。尚、窓部６１５の辺縁部に光学板部材４１０の周辺部が接触し、窓部６２５の辺縁部に光学板部材４２０の周辺部が接触するように構成されている。すなわち、光学板部材４１０の表面の周辺部が、プレート部６１０の表面（液晶表示部５００と対向する面）の窓部６１５の周辺の領域と接触することで、光学板部材４１０からプレート部６１０に熱が伝わり、放熱の効果がより向上する。また、光学板部材４２０の表面の周辺部が、カバー部６２０の表面（液晶表示部５００と対向する面）の窓部６２５の周辺の領域と接触することで、光学板部材４２０からカバー部６２０に熱が伝わり、放熱の効果がより向上する。
【０１２７】
更に、カバー部６２０は、カバー本体部６２３に加えて、スロープを有する冷却風導入部６２２、及び冷却風排出部６２４を備え、カバー部６２０全体に冷却風（図１に示すシロッコファン１３００から送り出される風等）を満遍なく行き渡らせることが可能となっており、カバー部６２０の冷却が効果的に行われるようになっている。ちなみに、冷却風は、冷却風導入部６２２、カバー本体部６２３及び冷却風排出部６２４の順に流れることが好適である。そのためには、図１に示した投射型表示装置１１００内において、ライトバルブたる液晶装置は、冷却風導入部６２２が吹き出し口１００ＲＷ、１００ＧＷ、及び１００ＢＷに対向するように配置されるのが好ましい。
【０１２８】
また、カバー本体部６２３が千鳥足状のサイドフィン部６２８を備え、また冷却風排出部６２４がリアフィン部６２４Ｆを備えていることにより、カバー部６２０の放熱能力が高められている。
【０１２９】
また、プレート部６１０には、液晶表示部５００の両側面に対向すると共に、カバー部６２０の内側面に接するようにされた折り曲げ部６１３が形成されており、該折り曲げ部６１３を介することによって、液晶表示部５００からプレート部６１０及びカバー部６２０への熱伝導が滞りなく行われるようになっている。なお、光学板部材４１０の側面とプレート部６１０の折り曲げ部６１３の内面（窓部６１５側の面）とが接触することで熱伝導の効果がより高まる。
【０１３０】
尚、図８に示した液晶表示部５００においては、図２に示した外部回路接続端子１０２に接続されたフレキシブルコネクタ５０１が図示されている。
【０１３１】
次に、このような構成の液晶装置の作用及び効果について説明する。
【０１３２】
液晶表示部５００が光学板部材４１０及び４２０を備えることにより、液晶装置内部の熱は、まず、光学板部材４１０及び４２０に伝導される。そして、本実施形態では更に、光学板部材４１０及び４２０の熱は、カバー部６２０或いはプレート部６１０へと伝導する。その際、窓部６１５の辺縁部及び光学板部材４１０の周辺部間、並びに、窓部６２５の辺縁部及び光学板部材４２０の周辺部間が相互に接触しているため、光学板部材４１０及び４２０の熱は、より効率よくプレート部６１０及びカバー部６２０へと伝導される。
【０１３３】
更に、カバー部６２０にサイドフィン部６２８及びリアフィン部６２４Ｆが設けられていること、或いはプレート部６１０に折り曲げ部６１３が形成されていて、プレート部６１０及びカバー部６２０間の熱の伝達が滞りなく行われ得るようになっていること等が併せ機能することで、液晶表示部５００からカバー部６２０へと伝達された熱、或いは該液晶表示部５００からプレート部６１０を介してカバー部６２０へと伝達された熱は、速やかに外部へと放散される。このように、カバー部６２０、或いはプレート部６１０は、液晶装置５００におけるヒートシンクとして有効に機能する。
【０１３４】
このように本実施形態では、外装ケース６１０を備えるようにしたので、液晶装置内部から外部へ、より効率よく放熱させることが可能となる。
【０１３５】
尚、このように光学板部材４１０及び４２０のみならず、外装ケース６０１をもヒートシンクとして機能させる場合においては、該機能のより効果的な実現のために、該カバー部６２０及び該プレート部６１０の少なくとも一方は、好ましくは金属、更に好ましくはその熱伝導率が１５Ｗ／ｍ・Ｋ程度以上となる金属から構成するとよい。そのような金属材料としては、例えばアルミニウム、マグネシウム、銅、或いはこれらの合金等を挙げることができる。
【０１３６】
また、液晶表示部５００が、偏光板７０１Ｉ及び７０１Ｏ、或いは昇温防止基板４９１及び４９２を更に備える場合には、これらの構成要素は、外装ケース６０１の外部に設置されるのが一般的である。即ち、図５において、中央に図示された部分のみが外装ケース６０１に収納され、それ以外の部分、図５の上側及び下側に図示された各部分は、外装ケース６０１外に配置される。
【０１３７】
また、光学板部材４１０及び４２０の少なくとも一方には、画像表示領域１０ａの周辺を覆うように、画像表示領域１０ａの外枠に対応した矩形枠状の遮光膜（周辺見切り）を設けても良い。これによって表示に寄与しない斜め光が液晶表示部５００に入射するのを防ぐことが可能となる。
【０１３８】
本発明は、上述した実施形態に限られるものではなく、請求の範囲及び明細書全体から読み取れる発明の要旨、或いは思想に反しない範囲で適宜変更可能であり、そのような変更を伴う電気光学装置及び該電気光学装置の製造方法、並びに、該電気光学装置が適用される電子機器もまた、本発明の技術的範囲に含まれるものである。
【０１３９】
例えば、第１実施形態は、液晶装置がスピネルを含んでなる光学板部材を備えた場合について説明し、第２実施形態は、液晶装置がＹＡＧを含んでなる光学板部材を備えた場合について説明したが、スピネルを含んでなる光学板部材とＹＡＧを含んでなる光学板部材との両方を備えるようにしてもよい。
【０１４０】
また、本発明における「表示用電極」としては、画素電極及び対向電極（共通電極）の形態以外に、一対の基板夫々に形成され、相互に交差するストライプ状の電極であってもよい。この場合にはパッシブマトリクス駆動が可能である。
【０１４１】
更に、以上では、本発明の電気光学装置の具体例として専ら液晶装置について説明したが、本発明の電気光学装置は駆動時に発熱する装置であればよく、液晶装置の他にＤＭＤ（Digital Micromirror Device）を利用した表示装置や、電気泳動装置、電子放出素子を利用した表示装置（Field Emission Display及びSurface-Conduction Electron-Emitter Display）等であってもよい。そのような電気光学装置は、投射型だけでなく反射型のプロジェクタにも適用可能であり、更に、例えばライトバルブとしてテレビジョン受像機等の各種表示装置に対して広く適用可能である。
【０１４２】
なお、本発明はシリコン基板上にトランジスタを形成した基板を用いる液晶装置（ＬＣＯＳ）や、シリコン基板上に可動ミラーを形成したＤＭＤ（Digital Micromirror Device）などの反射型のライトバルブにも適用可能である。
【０１４３】
ＬＣＯＳに本発明を適用する場合は、対向基板２０の液晶層５０とは反対側の面にスピネルを含んでなる光学板部材またはＹＡＧを含んでなる光学板部材を設けるのが好ましい。
【０１４４】
また、ＤＭＤの場合には、マイクロミラーが形成された反射面の側にスピネルを含んでなる光学板部材またはＹＡＧを含んでなる光学板部材を設けるのが好ましい。その際、光学部材はマイクロミラーのミラー表面と接触しないように取付けることが望ましい。具体的には、ＤＭＤのシリコン基板（あるいはその他の下地の基板）に光学部材を支持するための凸部や、ギャップ保持粒子などを設けて、該凸部やギャップ保持粒子の上に光学部材を固定する構成が望ましい。
【０１４５】
このように、ＬＣＯＳやＤＭＤのような反射型のデバイスにおいては、基板に対して入射光が反射される方向の側、すなわち出射方向側に、光学板部材を設けることで、本発明の効果が得られる。
【０１４６】
尚、本発明の電子機器は、このような本発明の電気光学装置を備えることで実現され、上述したプロジェクタの他に、テレビジョン受像機や、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等の各種の電子機器として実現可能である。
【図面の簡単な説明】
【０１４７】
【図１】本発明の実施形態に係る投射型表示装置の全体構成を示す平面図である。
【図２】本発明の第１実施形態に係る液晶装置の構成を示す平面図である。
【図３】図２のＨ−Ｈ’断面図である。
【図４】第１実施形態に係る液晶装置の変形例を示す断面図である。
【図５】第１実施形態に係る液晶装置の変形例を示す断面図である。
【図６】第２実施形態に係る液晶装置の構成を示す断面図である。
【図７】第２実施形態に係る液晶装置の製造工程の一部を示すフローチャートである。
【図８】第３実施形態に係る液晶装置を、外装ケースが分解された状態で示す分解斜視図である。
【符号の説明】
【０１４８】
１０…ＴＦＴアレイ基板、２０…対向基板、５０…液晶層、４１０，４２０，４３０，４４０…光学板部材、４９１，４９２…昇温防止基板、５００…液晶表示部、５０１〜５０８…ＡＲ膜、７０１Ｉ，７０１Ｏ…偏光板、６０１…外装ケース、６１０…プレート部、６２０…カバー部、６２８…サイドフィン部、６２４Ｆ…リアフィン部、１１００…投射型表示装置、１００Ｒ，１００Ｇ，１００Ｂ…ライトバルブ、１１２０…スクリーン。
【図１】
2008276216.tif 000003
【図２】
2008276216.tif 000004
【図３】
2008276216.tif 000005
【図４】
2008276216.tif 000006
【図５】
2008276216.tif 000007
【図６】
2008276216.tif 000008
【図７】
2008276216.tif 000009
【図８】
2008276216.tif 000010
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
電気光学物質を挟持する一対の基板と、
該一対の基板の一方に設けられた画素と、
前記一対の基板のうちの少なくとも一方の基板の前記電気光学物質に対向する面と反対側に配置され、スピネル又はイットリウム・アルミニウム・ガーネット（Yttrium Aluminum Garnet：ＹＡＧ）を含んでなる第１の板部材と、
前記一対の基板のうちの少なくとも一方の基板の前記電気光学物質に対向する面と反対側に配置され、スピネル又はイットリウム・アルミニウム・ガーネットからなる第２の板部材が備えられている偏光素子と、
を備えたことを特徴とする電気光学装置。
【請求項２】
前記第１の板部材は、前記一対の基板の一方における、前記電気光学物質に対向する面と反対側に配置され、
前記一対の基板の他方の基板の前記電気光学物質に対向する面と反対側には、スピネル及びイットリウム・アルミニウム・ガーネットのいずれも含まない板部材が配置されていることを特徴とする請求項１から３のいずれか一項に記載の電気光学装置。
【請求項３】
前記第１の板部材の少なくとも一面に、ＡＲ（Anti Reflection）膜を更に備えたことを特徴とする請求項１又は２に記載の電気光学装置。
【請求項４】
少なくとも前記一対の基板と前記第１の板部材とが収容されており、複数の着脱可能な部分から構成された外装ケースを更に備えたことを特徴とする請求項１から３のいずれか一項に記載の電気光学装置。
【請求項５】
入射された光を反射する反射型画素電極を備えた基板を有する電気光学装置であって、
前記基板に対して前記光が反射する方向の側に、スピネル又はイットリウム・アルミニウム・ガーネット（Yttrium Aluminum Garnet：ＹＡＧ）を含んでなる第１の板部材と、
前記基板に対して前記光が反射する方向の側に、スピネル又はイットリウム・アルミニウム・ガーネットからなる第２の板部材が備えられている偏光素子と、
を設けたことを特徴とする電気光学装置。
【請求項６】
請求項１から請求項５のいずれか一項に記載の電気光学装置を備えることを特徴とする電子